(57)【要約】【課題】ベッド等家具の下側空間を掃除する際に掃除対象の床面が係止具で傷付くことを抑制でき、かつ、前記下側空間を掃除する作業性を向上できるとともに、前記下側空間の奥深くまで確実に吸塵させるのに適した掃除機用延長管を提供する。【解決手段】掃除機用の延長管３１は、管体３２と、掃除機本体の延長管支持部１１に取外し可能に引掛けられる係合部材４１とを具備する。管体３２に、円形の外周面をなす部材取付け部を設けるとともに、この取付け部の両側に位置される位置決め部３５を設ける。係合部材４１は嵌合部４２及び引掛け部４３を有する。嵌合部４２を位置決め部３５により管体３２の軸方向に移動止めするとともに、この嵌合部４２を管体３２の周方向に可動し得るように部材取付け部の外周に嵌合する。引掛け部４３を管体３２に対して離れる方向に嵌合部４２から突設する。掃除中に引掛け部４３が掃除対象の床面に接した場合に係合部材４１が管体３２の周方向に回動されるようにしたことを特徴としている。【選択図】図３
2011019624.tif 000002
【特許請求の範囲】
【請求項１】
円形の外周面をなす部材取付け部及びこの取付け部の両側に設けられた位置決め部を有した管体と、
この管体の周方向に可動し得るように前記部材取付け部の外周に嵌合されるとともに前記位置決め部により前記管体の軸方向に移動止めされた嵌合部、及び前記管体に対して離れる方向に前記嵌合部から突出された引掛け部を有する係合部材と、
を具備することを特徴とする掃除機用延長管。
【請求項２】
前記引掛け部の少なくとも先端側部位が、前記引掛け部の先端に向かうに従い先細り状に形成されていることを特徴とする請求項１に記載の掃除機用延長管。
【請求項３】
前記管体の周囲所定位置に前記引掛け部が突出されるように前記係合部材をその可動方向に付勢する付勢体を有した保持手段を備えることを特徴とする請求項１又は２に記載の掃除機用延長管。
【請求項４】
前記引掛け部より柔らかい緩衝材製でかつ前記引掛け部の外面に被着された保護カバーを、前記係合部材が有していることを特徴とする請求項１から３の内のいずれか一項に記載の掃除機用延長管。
【請求項５】
電動送風機が内蔵されるとともに、前部に吸込み口を有し、後部を底部として立てて置くことが可能に形成され、かつ、掃除の際に掃除対象の床面に対向する底壁に延長管支持部が設けられた掃除機本体と、
前記吸込み口に接続される吸塵ホースと、
この吸塵ホースの先端部に接続される請求項１から４の内のいずれか一項に記載の延長管であって、前記掃除機本体がその後部を底部として立てて置かれた状態で前記延長管の係合部材が前記延長管支持部に上方から取外し可能に引掛けられて前記掃除機本体に支持される延長管と、
この延長管の先端部に接続される吸込み口体と、
を具備することを特徴とする電気掃除機。
【請求項６】
前記延長管支持部が、前記掃除機本体がその後部を底部として立てて置かれた状態で、前記係合部材が引掛けられる引掛け部受けと、この引掛け部受けの裏側に形成されて前記引掛け部が上方から挿入される凹部と、この凹部の上方に連続された溝部を備え、前記溝部の幅がこの溝部の奥に行くほど次第に狭く形成されていることを特徴とする請求項５に記載の電気掃除機。
【請求項７】
前記係合部材が前記延長管支持部に引掛けられた状態で前記係合部材に対して前記管体を回動しないように拘束するとともに、前記延長管支持部から前記係合部材が外されるに伴って前記拘束を解除するロック手段を備えることを特徴とする請求項５又は６に記載の電気掃除機。
【請求項８】
前記ロック手段が、前記管体の外周に形成された回り止め面と、この回り止め面に接離する回り止め部を有して前記係合部材に回動自在に取付けられ、前記係合部材が前記延長管支持部に引掛けられるに伴い前記引掛け部受けに当たって前記回り止め部が前記回り止め面に接触される方向に回動されるロック部材と、このロック部材の前記引掛け部受けによる回動方向とは逆方向に前記ロック部材を付勢する付勢部材とを備えたことを特徴とする請求項７に記載の電気掃除機。
【発明の詳細な説明】
【技術分野】
【０００１】
本発明は、上下方向に延びるように立った状態で掃除機本体に引掛け支持される延長管に関するとともに、この延長管を備えた電気掃除機に関する。
【背景技術】
【０００２】
上下二本継ぎ形の延長管であって、その延長下管に鈎部を有する係止具(接続具)が装着された延長管が、従来技術として知られている（例えば、特許文献１参照。）。そして、前記係止具は延長下管に対して軸方向にも周方向に動かないように固着されている。
【０００３】
この延長管を備えた電気掃除機の掃除機本体には、通常の使用状態で掃除対象の床面に対向する底面に、前方に向けて開口する開口部を有した鈎受部が形成されている。そして、電気掃除機を格納する際等に、鈎受部と係止具を用いて延長管が掃除機本体に引掛け支持されるようになっている。
【０００４】
即ち、ホース、延長管、及び床ノズルが互いに接続されているとともに、ホースが掃除機本体の吸込み口に接続されたままの状態で、掃除機本体をその後部が底部となるように立位状態にした上で、延長管に固着された係止具の鈎部を掃除機本体の鈎受部に上方から挿入して引掛けることにより、延長管を上下方向に延びるように立った状態に掃除機本体に引掛け支持することができる。
【先行技術文献】
【特許文献】
【０００５】
【特許文献１】特開平４−６４３２９号公報（従来の技術の欄、第１２図）
【発明の概要】
【発明が解決しようとする課題】
【０００６】
従来技術において延長下管に固着された係止具の鈎部は、通常の掃除状態では延長下管に対して下方に突出しているため、ベッドやソファーのような家具の下を掃除する場合に以下の不具合がある。
【０００７】
即ち、ベッド等の下を掃除する際、一般的には、使用者により握られたホースの手元部の高さ位置がより低くなるように操作して、手元部に接続された延長管が掃除対象の床面に対してできるだけ略平行となるようにして掃除が行われる。この場合、延長管の延長下管に固着された係止具の鈎部が掃除対象の床面に接触することがある。
【０００８】
ベッド等の下を掃除する場合、ベッド等が床ノズル及び係止具の視認を妨げるので、係止具の鈎部が掃除対象の床面に接触したままで、延長管及び床ノズルが前後方向に押し引きされることに伴い、掃除対象のフローリング製床面が傷付けられる恐れがある。こうした床面の傷付きを抑制するには、係止具の鈎部が床面に接触しているかどうかを都度確認しながら掃除をする手間が必要であるので、掃除が面倒となる。そして、床面の傷付きを恐れるあまり、床ノズルをベッド等の下側空間の奥深くまで押し込んで掃除することも躊躇される可能性が高いので、掃除作業上好ましくない。更に、係止具の鈎部が掃除対象の床面に接触したことに気付かずに、床ノズルをベッド等の下側空間の奥深くまで押し込んだ場合には、床面に接触している係止具を支点として床ノズルが床面から浮き上がって、ベッド等家具の下側空間の奥深い場所の吸塵ができない状態になることがある。
【０００９】
以上のように従来の延長管は、ベッド等家具の下側空間を掃除する際に、掃除機本体に立てた状態に引掛けて支持するために設けられた係止具で掃除対象の床面を傷付けることがあり、かつ、この傷付きを抑制しつつ掃除をする上での作業性が良くないとともに、前記下側空間の奥深い場所を確実に吸塵し難い、という課題がある。
【課題を解決するための手段】
【００１０】
上記の課題を解決するために、本発明の掃除機用延長管は、管体と、嵌合部及びこの嵌合部から管体に対して離れる方向に突設された引掛け部を有して、掃除機本体の延長管支持部に取外し可能に引掛けられる係合部材とを具備し、管体に、円形の外周面をなす部材取付け部とこの取付け部の両側に位置される位置決め部とを設け、位置決め部で管体の軸方向に嵌合部を移動止めするとともに、この嵌合部を管体の周方向に可動し得るように部材取付け部の外周に嵌合したことを特徴としている。
【発明の効果】
【００１１】
本発明によれば、掃除中に係合部材の引掛け部が掃除対象の床面に接した場合に係合部材が管体の周方向に回動されるので、ベッド等家具の下側空間を掃除する際に掃除対象の床面が係合部材で傷付くことを抑制でき、かつ、前記下側空間を掃除する作業性を向上できるとともに、前記下側空間の奥深い場所を確実に吸塵させるのに適した掃除機用延長管を提供できる、という効果がある。
【図面の簡単な説明】
【００１２】
【図１】本発明の第１実施形態に係る電気掃除機を使用状態で示す斜視図である。
【図２】第１実施形態に係る電気掃除機を格納に適した状態で示す斜視図である。
【図３】第１実施形態に係る電気掃除機の延長管支持部とこれから分離された係合部材を示す斜視図である。
【図４】図３中Ｆ４−Ｆ４線に沿う断面図である。
【図５】第１実施形態に係る電気掃除機が備える延長管の一部を示す断面図である。
【図６】図５中Ｆ６−Ｆ６線に沿う断面図である。
【図７】本発明の第２実施形態に係る電気掃除機が備える延長管を示す断面図である。
【図８】図７中Ｆ８−Ｆ８線に沿う断面図である。
【図９】本発明の第３実施形態に係る電気掃除機の延長管支持部とこれから分離された係合部材を示す斜視図である。
【図１０】図９中Ｆ１０−Ｆ１０線に沿う断面図である。
【図１１】本発明の第４実施形態に係る電気掃除機の延長管支持部とこれから分離された係合部材を示す断面図である。
【図１２】第４実施形態に係る電気掃除機の延長管支持部に係合部材が支持された状態を示す断面図である。
【図１３】図１２中Ｆ１３−Ｆ１３線に沿う断面図である。
【発明を実施するための形態】
【００１３】
以下、図１〜図６を参照して本発明の第１の実施の形態について、詳細に説明する。
【００１４】
図１及び図２中符号１は電気掃除機を示しており、この電気掃除機１は、掃除機本体２と、吸塵風路体２１を具備している。
【００１５】
掃除機本体２の前部に吸込み口３が設けられているとともに、掃除機本体２の後部に電動送風機４が内蔵されている。掃除機本体２はその前部に図示しない集塵室を有している。集塵室の上端は開口されていて、この開口は掃除機本体２に回動可能に取付けられた本体蓋５で閉じられている。本体蓋５に吸込み口３が設けられている。集塵室には集塵部として例えば集塵袋（図示しない）が出し入れ可能に収容され、この集塵袋の内部空間は吸込み口３に連通されている。
【００１６】
掃除の際に掃除対象の床面に対向する掃除機本体２の底壁２ａ（図２及び図３参照）の前部には、図示しない旋回輪が旋回自在に取付けられている。掃除機本体２の後部両側には夫々車輪６が取付けられている。これら旋回輪と車輪６の回転により掃除機本体２は床面上を容易に移動可能である。図２に示すように掃除機本体２は、その後部を底部として立てて床面上等に置くことが可能であり、この縦置きの場合、掃除機本体２の後壁が有する後向きの載置用の凸部２ｂ（図１参照）と車輪６とが床面に接触して掃除機本体２が支持される。掃除機本体２の底壁２ａは前記縦置きの状態で略垂直に立てられる。
【００１７】
図２〜図４に示すように底壁２ａに延長管支持部１１が形成されている。延長管支持部１１は、引掛け部受け１２と、凹部１３と、溝部１４を備えている。引掛け部受け１２は、掃除機本体２が縦置きされた状態（立位状態）で後述の係合部材４１が上方から係脱可能に引掛けられるように設けられている。凹部１３は引掛け部受け１２の裏側に形成されている。図４に示すように凹部１３は、その開口が、掃除機本体２が縦置きされた状態で上向きとなるように設けられている。溝部１４は掃除機本体２が縦置きされた状態で凹部１３の上側に連続して設けられている。この溝部１４は凹部１３に対する後述の引掛け部４３の出し入れを容易にするための斜面１４ａを有している。斜面１４ａは、斜状であり、凹部１３の開口に対向している。
【００１８】
図１に示すように吸塵風路体２１は、吸塵ホース２２と、延長管３１と、吸込み口体２５を備えている。
【００１９】
吸塵ホース２２の一端部２２ａは掃除機本体２の吸込み口３に取外し可能に接続されている。吸塵ホース２２の他端部は手元管２２ｂで形成され、この手元管２２ｂにハンドル２３が設けられている。ハンドル２３には電動送風機４の運転等を制御するための指示を与える各種操作スイッチ等が取付けられた操作パネル２４が装着されている。吸塵ホース２２の一端部２２ａと手元管２２ｂとの間の部位は可動性を有する蛇腹状のホース部材で形成されている。
【００２０】
延長管３１は、例えば二本継型のものであって、管体、つまり、上流側管体３２と下流側管体３３を備えている。上流側管体３２は、下流側管体３３の内側に嵌合されていて、この下流側管体３３の軸方向に移動可能に設けられている。下流側管体３３の先端からの上流側管体３２の突出長さを任意に調整することで、延長管３１の全長を変えることが可能となっている。下流側管体３３の前記先端とは反対側の他端部は、手元管２２ｂの先端部に取外し可能に嵌合して接続されている。
【００２１】
図５及び図６に示すように延長管３１の管体例えば上流側管体３２は、その下部において部材取付け部３４及び一対の位置決め部３５を有している。部材取付け部３４は上流側管体３２の一部により形成されていて、この部材取付け部３４の外周面は円形である。位置決め部３５は、部材取付け部３４の両側に位置して上流側管体３２の外周面に一体に突設されている。これら位置決め部３５は上流側管体３２の周方向に一回り連続して形成されている。
【００２２】
更に、延長管３１は合成樹脂製の係合部材４１を備えている。係合部材４１は、図５及び図６に示すように合成樹脂製の嵌合部４２と、合成樹脂製の引掛け部４３と、保護カバー４５を有している。
【００２３】
嵌合部４２は上流側管体３２の周方向に可動し得るように部材取付け部３４の外周に嵌合されている。この嵌合部４２の軸方向両端は位置決め部３５に軽微に接触ないしは近接接していて、これら位置決め部３５によって上流側管体３２の軸方向に移動しないように位置決めされている。
【００２４】
引掛け部４３は、上流側管体３２に対して離れる方向に嵌合部４２から一体に突出されており、例えば係合端部４３ａを有して側面視略Ｌ字状のフックをなしている。係合端部４３ａは上流側管体３２と略平行であり、前方、つまり、上流側管体３２の先端部に接続された吸込み口体２５に向けて折れ曲がっている。引掛け部４３を前側又は後側から見た場合、引掛け部４３の先端側部位の幅は、引掛け部４３の先端に向かうに従い次第に狭く形成されている。言い換えれば、引掛け部４３の先端側部位は、引掛け部４３の先端に向かうに従い先細り状に形成されていて、本実施形態では図６に示すように略半円形状をなしている。この引掛け部４３を、縦置きされた掃除機本体２の延長管支持部１１にその上方から取外し可能に引掛けることにより、延長管３１を立てて掃除機本体２に支持できるようになっている。
【００２５】
保護カバー４５は、引掛け部４３の少なくとも先端側部位の外面、正確には前記先端側部位の両側面にわたって被着されている。この保護カバー４５は、掃除対象のフローリング製床面及び引掛け部４３より柔らかい緩衝材、例えば、起毛布、エラストマ、軟質塩化ビニル等からなる。
【００２６】
吸込み口体２５は、掃除対象である床面の掃除に適した床用のものであって、吸込みヘッド２６と、接続管２７を備えている。
【００２７】
吸込みヘッド２６はその下面に吸塵開口（図示しない）を有している。吸込みヘッド２６には、この吸込みヘッド２６を流通する気流、又は吸込みヘッド２６に搭載された電動機により回転される回転清掃体を内蔵することもできる。接続管２７は、吸込みヘッド２６の中央部に自在継手部２８を介して接続されていて、吸込みヘッド２６の後方に突出されている。接続管２７は自在継手部２８の内部を経由し吸込みヘッド２６の吸塵開口に連通されている。吸込み口体２５は、延長管３１の先端部をなした上流側管体３２の先端部に取外し可能に嵌合して接続されている。
【００２８】
電気掃除機１を格納する際図２に示すように延長管３１は掃除機本体２に支持される。即ち、まず、掃除機本体２を縦置き状態とする。つまり、掃除機本体２をその後部を底部とするように起こして、凸部２ｂ及び車輪６で掃除機本体２を立った状態に支持する。この操作は、掃除機本体２の吸込み口３に吸塵風路体２１が接続されたままの状態で行う。次に、係合部材４１が有した引掛け部４３の係合端部４３ａが下向きとなるように延長管３１を操作するとともに、この係合部材４１の引掛け部４３を掃除機本体２の延長管支持部１１に上方から引掛ける。この場合、引掛け部４３が掃除機本体２の溝部１４の斜面１４ａにより下方へ導かれ、それに伴い引掛け部４３の係合端部４３ａが掃除機本体２の凹部１３に上方から挿入されて、引掛け部４３が引掛け部受け１２に引掛けられる。この引掛かりにより、図２に示すように延長管３１が上下に延びるように配置されて掃除機本体２の底壁２ａに沿って支持される。同時に、吸込み口体２５の吸込みヘッド２６が、延長管３１とともに上下に延びるように配置された接続管２７に対して直角となるように配置される。このような状態で電気掃除機１は適当な格納場所に格納される。
【００２９】
又、電気掃除機１を使用する際、延長管３１を引き上げることにより、その係合部材４１の引掛け部４３を掃除機本体２の延長管支持部１１から外すことができる。その上で、掃除機本体２をその底壁２ａが掃除対象のフローリング製床面に向かい合うように配置させるとともに、図１に示すように吸塵風路体２１を配置し、そのハンドル２３を握って電動送風機４を駆動させながら吸込み口体２５を移動操作することにより、床面を掃除できる。多くの掃除の場面では、延長管３１と床面とが挟む角度が大きいので、係合部材４１が延長管３１の下側に突出されているにも拘らず、この係合部材４１が床面に接することはない。
【００３０】
しかし、図示しないベッドの下の床面を掃除する場合、吸込み口体２５がベッドの下方空間の奥深くまで挿入されるように、吸塵風路体２１を操作する手元を低くした状態で吸込み口体２５が前後に移動される。こうした掃除では、延長管３１と床面とが挟む角度が小さくなるので、延長管３１の係合部材４１が床面に接することがある。
【００３１】
この接触に伴い係合部材４１は床面で押される。それによって、係合部材４１が上流側管体３２の周方向に回動されるので、吸塵風路体２１のハンドル２３を把持した手元を低くする操作が、係合部材４１で妨げられることを抑制できる。そのため、吸塵風路体２１を操作する手元をより低くした状態で、吸込み口体２５を前後に移動させてベッドの下の床面を掃除できる。更に、前記手元をより低くしても、それに見合って係合部材４１が上流側管体３２の周方向に回動されるので、係合部材４１が床面に接触しているにも拘らず、この係合部材４１を支点として吸込み口体２５が床面から浮き上がることも抑制される。
【００３２】
そのため、ベッド等家具の下の床面を掃除する際に、係合部材４１が床面に接触したか否かを気にすること、及び吸込み口体２５が床面から浮き上がっているか否かを気にすることを要しないで掃除することができるとともに、ベッド等家具の下方空間の奥深くまで挿入される吸込み口体２５を挿入して掃除をすることができる。したがって、ベッド等家具の下の床面に対する掃除の作業性と掃除の確実性を向上できる。
【００３３】
しかも、係合部材４１の先端部は保護カバー４５で覆われていて、この保護カバー４５が床面に接するので、フローリング床面が係合部材４１との接触で傷付けられることを抑制できる。この点でも、ベッド等家具の下の床面に対する掃除の作業性を向上できる。
【００３４】
図７及び図８は本発明の第２の実施の形態を示している。この第２実施形態は、以下説明する事項以外は第１実施形態と同じであるので、第１実施形態と同様な構成については第１実施形態と同じ符号を付してその説明を省略する。
【００３５】
第２実施形態では、係合部材４１の引掛け部４３全体が先細り形状、例えば図７に示すように略三角形状をなしている。こうした形状の採用によって、係合部材４１がフローリング製の床面に接触した場合の係合部材４１の安定性が極めて低くなるので、前記接触に伴って、係合部材４１を、より容易に上流側管体３２の周方向に回動させることができる。
【００３６】
更に、第２実施形態では、引掛け部４３がフローリング製の床面に接しない状態で、この引掛け部４３を上流側管体３２の周囲所定位置に突出させた状態に保持する保持手段３６を備えている。ここに、引掛け部４３が保持される上流側管体３２の周囲所定位置とは、上流側管体３２の先端部に接続された吸込み口体２５（図１及び図２参照）との関係で定められ、具体的には上流側管体３２を境に吸込み口体２５とは反対側に引掛け部４３が突出された位置を指している。したがって、掃除中の状態で引掛け部４３は、上流側管体３２に対して直角でかつ下側に突出された状態に保持される。
【００３７】
図７及び図８に示すように保持手段３６は、例えばばね配置溝３７と、切り欠き溝３８と、保持部３９と、付勢体例えばばね具体的に捩りコイルばね４０を備えている。
【００３８】
ばね配置溝３７は嵌合部４２にその内周に開放して形成されている。切り欠き溝３８はばね配置溝３７に連通して嵌合部４２に形成されている。この切り欠き溝３８は、引掛け部４２が突出された側とは反対側に設けられているとともに、嵌合部４２の外周面に開放されている。保持部３９は、延長管３１の管体、つまり、上流側管体３２の例えば一方の位置決め部３５から一体に形成されていて、切り欠き溝３８を覆っている。
【００３９】
図７に示すように保持部３９は、その幅方向両端部にストッパ縁部３９ａ，３９ｂを有し、これらストッパ縁部３９ａ，３９ｂは嵌合部４２の外周に向けて折れ曲がっていて、この嵌合部４２の外周とは非接触である。捩りコイルばね４０は、部材取付け部３４の外周面に巻装されるとともにばね配置溝３７に収容されている。この捩りコイルばね４０は切り欠き溝３８を通って保持部３９に向けて突出する一対のばね端部４０ａ，４０ｂを有している。
【００４０】
一方のばね端部４０ａは、切り欠き溝３８を画した嵌合部４２の一方の溝縁部４２ａ及び一方のストッパ縁部３９ａに、捩りコイルばね４０のばね力で押し当てられているが、これら一方の溝縁部４２ａ及び一方のストッパ縁部３９ａに対して接離可能である。同様に、他方のばね端部４０ｂは、切り欠き溝３８を画した嵌合部４２の他方の溝縁部４２ｂ及び他方のストッパ縁部３９ｂに、捩りコイルばね４０のばね力で押し当てられているが、これら他方の溝縁部４２ｂ及び他方のストッパ縁部３９ｂに対して接離可能である。
【００４１】
保持手段３６の捩りコイルばね４０は、そのばね端部４０ａ，４０ｂがストッパ縁部３９ａ，３９ｂに夫々当たった状態で、一対のばね端部４０ａ，４０ｂが互いに離れる方向のばね力を溝縁部４２ａ，４２ｂに与えている。言い換えれば、係合部材４１はその可動方向に捩りコイルばね４０で付勢されている。それにより、係合部材４１の引掛け部４２に外力が作用しない自由状態において、この係合部材４１を上流側管体３２の周囲所定位置に突出された状態に保持できる。
【００４２】
このような保持によって掃除中に係合部材４１が勝手に回動することを抑制できる。これとともに、上流側管体３２に対して係合部材４１が回動した後に、この係合部材４１は定められた位置に捩りコイルばね４０のばね力で自然に戻される。そのため、延長管３１を掃除機本体２（図２参照）に引掛けて保持する際、この係合部材４１と吸込み口体２５（図２参照）との位置関係を調整する手間を要することなく、係合部材４１を掃除機本体２の延長管支持部１１（図２参照）に引掛けることができる。
【００４３】
捩りコイルばね４０のばね力はさほど大きくはない。このため、ベッド等の家具の下方の床面を掃除する際に、係合部材４１の引掛け部４３の先端部が床面に当たると、それに伴い係合部材４１を捩りコイルばね４０のばね力に抗して上流側管体３２の周方向に回動させることができる。
【００４４】
この場合、係合部材４１の引掛け部４３に図７中矢印Ｒ方向の外力が床面側から与えられると、一方の溝縁部４２ａが、一方のばね端部４０ａを押して、このばね端部４０ａをストッパ縁部３９ｂで位置決めされている他方のばね端部４０ｂに近付けながら、係合部材４１が回動される。これと同時に、他方の溝縁部４２ｂは他方のばね端部４０ｂから離れる。この回動後に、引掛け部４３が床面から離れると、それに伴い捩りコイルばね４０のばね力で、係合部材４１が上流側管体３２の周囲所定位置に突出された状態に戻される。同様に、係合部材４１に図７中矢印Ｌ方向の外力が床面側から与えられると、他方の溝縁部４２ｂが、他方のばね端部４０ｂを押して、このばね端部４０ｂをストッパ縁部３９ａで位置決めされている一方のばね端部４０ａに近付けながら、係合部材４１が回動される。これと同時に、一方の溝縁部４２ａは一方のばね端部４０ａから離れる。この回動後に、引掛け部４３が床面から離れると、それに伴い捩りコイルばね４０のばね力で、係合部材４１が上流側管体３２の周囲所定位置に突出された状態に戻される。
【００４５】
以上説明した事項以外は第１実施形態と同じである。したがって、この第２実施形態でも本発明の課題を解決できる。
【００４６】
図９及び図１０は本発明の第３の実施の形態を示している。この第３実施形態は、以下説明する事項以外は第１実施形態と同じであるので、第１実施形態と同様な構成については第１実施形態と同じ符号を付してその説明を省略する。
【００４７】
第３実施形態では、掃除機本体２の底壁２ａの前側部位が湾曲面２ｃとなっている。そして、延長管支持部１１の溝部１４に斜面１４ａ（図６参照）を設けることに代えて、延長管支持部１１の溝部１４は湾曲面２ｃに開放されている。それにより、第３実施形態では、縦置きされた掃除機本体２の延長管支持部１１に対して、その上方からも係合部材４１の引掛け部４３を挿脱できるようになっている。
【００４８】
更に、第３実施形態では、係合部材４１がより容易に上流側管体３２の周方向に回動し得るように引掛け部４３全体が先細り形状、例えば図９に示すように略三角形状をなしている。これとともに、この引掛け部４３を受入れる延長管支持部１１の溝部１４の幅は、溝部１４の奥に行くほど次第に狭く形成されていて、それにより、溝部１４は例えば図１０に示すように断面略Ｖ字形状をなしている。
【００４９】
これにより、引掛け部４３を、溝部１４を経由して凹部１３に挿入するとともに引掛け部１４に引掛ける際に、溝部１４に対して係合部材４１の位置が多少ずれていても、このずれを修正する手間を要することなく、係合部材４１を延長管支持部１１に支持させることができる。
【００５０】
即ち、多少位置ずれした係合部材４１の引掛け部４３の先端部が溝部１４に入り込む限りにおいて、溝部１４を形成した溝側面に引掛け部４３が当接することによって、係合部材４１の先細り形状の先端側部位が溝部１４の略方向中央に向けて導かれながら、係合部材４１が上流側管体３２の周方向に回動される。それにより、溝部１４に対する係合部材４１の位置が適正となるように修正されるので、前記多少の位置ずれに拘らず、係合部材４１の位置を修正する手間を要しない。そして、この状態に引き続き、溝部１４に引掛け部４３が挿入された係合部材４１を上流側管体３２とともに下降させることで、引掛け部４３を引掛け部受け１２に引掛けることができる。
【００５１】
以上説明した事項以外は第１実施形態と同じである。したがって、この第３実施形態でも本発明の課題を解決できる。
【００５２】
図１１〜図１３は本発明の第４の実施の形態を示している。この第４実施形態は、以下説明する事項以外は第１実施形態と同じであるので、第１実施形態と同様な構成については第１実施形態と同じ符号を付してその説明を省略する。
【００５３】
第４実施形態の掃除機本体は更にロック手段５１を備えている。ロック手段５１は、回り止め面３４ａと、ロック部材５２と、付勢部材例えばばね５５を備えていて、係合部材４１が延長管支持部１１に引掛けられた状態で係合部材４１に対して上流側管体３２を回動しないように拘束するとともに、延長管支持部１１から係合部材４１が外されるに伴って前記拘束を解除するように構成されている。
【００５４】
即ち、回り止め面３４ａは上流側管体３２の部材取付け部３４の一部に設けられた平面で形成されている。又、係合部材４１を延長管支持部１１にその上方から引掛ける際に、ロック部材５２が上流側管体３２と干渉しないようにするために、一対の位置決め部３５の内で前記引掛け作業の際に下側に位置される方の位置決め部３５及び嵌合部４２は、
逃げ部５３を有している。これら逃げ部５３は、前記下側位置の位置決め部３５及び嵌合部４２の一部を切り欠くように設けられていて、係合部材４１が延長管支持部１１に引掛けられた状態では上下方向に連続されるようになっている。
【００５５】
ロック部材５２は、棒状をなす一対のアーム部５２ａと、これらの一端部にわたって棒けられた棒状の回り止め部５２ｂを有して、図１３に示すように平面視略コの字形に形成されている。図１１及び図１２に示すようにロック部材５２のアーム部５２ａの他端部は、係合部材４１の例えば係合端部４３ａの根元部に回動自在に取付けられている。図１１〜図１３中符号５４は、ロック部材５２の回動の支点となる枢軸を示している。アーム部５２ａの長さは、ロック部材５２が回動されるに伴って回り止め部５２ｂが回り止め面３４ａに接離されるように設定されている。
【００５６】
ばね５５は枢軸５４の両端部に巻装され、その一端がアーム部５２ａに引掛けられているとともに、他端が係合部材４１の例えば係合端部４３ａに引掛けられている。このばね５５のばね力によって、回り止め部５２ｂが上流側管体３２から離れる方向にロック部材５２が付勢されている。
【００５７】
こうした構成のロック手段５１は、縦置きされた掃除機本体に延長管を立てて支持する場合に、以下のように動作する。
【００５８】
即ち、係合部材４１を延長管支持部１１に引掛けるに際して、まず、上流側管体３２と係合部材４１との位置合わせをする。この位置合わせは、必要により係合部材４１を回動させることで行い、それにより、ロック部材５２の回り止め部５２ｂを上流側管体３２の回り止め面３４ａに正しく対向させる。この状態では、ばね５５のばね力によって図１１に示すようにロック部材５２は、その回り止め部５２ｂ側が枢軸５４の高さ位置より下側に配置されている。
【００５９】
この状態で、図１１中矢印に示すように吸塵風路体２１（図１及び図２参照）ごと係合部材４１を移動させて、その引掛け部４３を延長管支持部１１の引掛け部受け１２に上方から引掛ける。こうした挙動に伴い、ロック部材５２のアーム部５２ａが引掛け部受け１２に当たり、この引掛け部受け１２によりアーム部５２ａが上向きに押されるので、ロック部材５２はばね５５に抗して上向きに回動される。この回動により、ロック部材５２の回り止め部５２ｂが上流側管体３２の回り止め面３４ａに接触する。
【００６０】
このため、図１２及び図１３に示すように延長管支持部１１に係合部材４１が適正に引っ掛かった状態では、回り止め面３４ａに接触したロック部材５２をストッパとして、係合部材４１に対して上流側管体３２がその周方向に不用意に回動することないように上流側管体３２が拘束される。したがって、掃除機本体に吸塵風路体が支持された状態で、掃除機本体に対して吸塵風路体が回動することが抑制され、例えば、図２に示すような適正状態に保持できる。
【００６１】
この状態から掃除の準備として、延長管支持部１１から係合部材４１が上方に引き外されると、それに伴い、引掛け部受け１２がアーム部５２ａを押上げる作用が消失するので、同時に、引掛け部受け１２によるロック部材５２の回動方向とは逆方向に、ロック部材５２がばね５５の力で回動される。したがって、図１１に示すようにロック部材５２の回り止め部５２ｂが、上流側管体３２の回り止め面３４ａから離されて前記拘束が解除されるので、係合部材４１は上流側管体３２の周方向に回動可能な状態となる。
【００６２】
以上説明した事項以外は第１実施形態と同じである。したがって、この第４実施形態でも本発明の課題を解決できる。
【００６３】
なお、前記各実施形態では、係合部材４１の引掛け部４３をフック形状に形成したが、これに代えて引掛け部の先端部に係合孔を設けてもよく、この場合、延長管支持部１１の引掛け部受けは前記係合孔が係脱される凸部で形成することで実施できる。
【符号の説明】
【００６４】
１…電気掃除機、２…掃除機本体、２ａ…掃除機本体の底壁、３…吸込み口、４…電動送風機、６…車輪、１１…延長管支持部、１２…引掛け部受け、１３…凹部、１４…溝部、２２…吸塵ホース、２５…吸込み口体、３１…延長管、３２…上流側管体、３４…部材取付け部、３４ａ…回り止め面、３５…位置決め部、３６…保持手段、４０…捩りコイルばね（付勢体）、４１…係合部材、４２…嵌合部、４３…引掛け部、４５…保護カバー、５１…ロック手段、５２…ロック部材、５２ｂ…回り止め部、５４…枢軸、５５…ばね（付勢部材）
【図１】
2011019624.tif 000003
【図２】
2011019624.tif 000004
【図３】
2011019624.tif 000005
【図４】
2011019624.tif 000006
【図５】
2011019624.tif 000007
【図６】
2011019624.tif 000008
【図７】
2011019624.tif 000009
【図８】
2011019624.tif 000010
【図９】
2011019624.tif 000011
【図１０】
2011019624.tif 000012
【図１１】
2011019624.tif 000013
【図１２】
2011019624.tif 000014
【図１３】
2011019624.tif 000015